(57)【特許請求の範囲】
【請求項１】
装置本体の一側に形成された開口を通って装置本体の内外間を往復動するトレイにより、装置本体の外部で収納した記録／再生用ディスクを装置本体内部の所定のローディング位置まで移動させて、記録／再生用ディスクに対するローディングを行わせるディスク装填装置において、
前記トレイに、該トレイの平面に形成され該平面側から記録／再生用ディスクが装填されて該ディスクの平面を受ける受け凹部と、該トレイのローディング方向に対して垂直方向の一側面から前記受け凹部に通じるように記録／再生用ディスクの外径に略等しい幅で設けられたディスク挿入用の挿入溝と、該挿入溝が設けられた該トレイの前記一側面から前記受け凹部の略中央部に通じるように形成された切欠き部とを備え、
前記トレイを垂直に立てて使用する場合に前記受け凹部から記録／再生用ディスクが外れることを防止するために該受け凹部に突出した状態となるストッパ部材を、該トレイに着脱可能あるいはスライド可能に設けたことを特徴とするディスク装填装置。
【請求項２】
装置本体の一側に形成された開口を通って装置本体の内外間を往復動するトレイにより、装置本体の外部で収納した記録／再生用ディスクを装置本体内部の所定のローディング位置まで移動させて、記録／再生用ディスクに対するローディングを行わせるディスク装填装置において、
前記トレイに、該トレイの平面に形成され該平面側から記録／再生用ディスクが装填されて該ディスクの平面を受ける受け凹部と、該トレイのローディング方向に対して垂直方向の一側面から前記受け凹部に通じるように記録／再生用ディスクの外径に略等しい幅で設けられたディスク挿入用の挿入溝と、該挿入溝が設けられた該トレイの前記一側面から前記受け凹部の略中央部に通じるように形成された切欠き部とを備え、
前記トレイを垂直に立てて使用する場合に前記受け凹部から記録／再生用ディスクが外れることを防止するために前記受け凹部部分を覆い、かつ前記切欠き部に対応させて縦長孔を有する板状部材を、前記トレイに着脱可能に設けたことを特徴とするディスク装填装置。
【請求項３】
前記挿入溝の奥部分に、ディスクの外縁端部を保持する幅狭部を設けたことを特徴とする請求項１または２記載のディスク装填装置。
【発明の詳細な説明】
【０００１】
【発明の属する技術分野】
本発明は、記録／再生用ディスク（以下、ディスクという）をディスク駆動部におけるローディング位置に自動的に装填するディスク装填装置に関するものである。
【０００２】
【従来の技術】
従来の光学式ディスク駆動装置において、特公平３−２６４６３号公報に示されているように、トレイにディスクを載置し、トレイを外部から装置内部のローディング位置まで移動させてディスクの自動装填およびローディングを行い、また記録／再生動作終了後にトレイを外部に移動させて、ディスクの取り出しを行うようにしていた。
【０００３】
特公平３−２６４６３号公報に示されている装置は、設置面に対して水平状態（横置き）にして使用するものであり、水平状態にあるトレイにディスクを装着するものである。しかし、前記装置を垂直状態（縦置き）にして使用しようとしても、垂直状態にあるトレイからディスクが落下してしまって使用不可能である。
【０００４】
そこで、特開平６−２５１４７９号公報の装置では、前記横置きと縦置きとの両使用を可能にするため、トレイにディスクが挿入されるポケットとフックを設け、このポケットとフックとによってトレイからディスクが落下しないように保持している。
【０００５】
【発明が解決しようとする課題】
しかしながら、特開平６−２５１４７９号公報の装置では横置きと縦置きとの両使用が可能であるが、縦置き使用時には、トレイに設けられたポケットにおけるディスク挿入部分が小さいため、使用者はディスクをディスク挿入部分にねらいを定めるようにして挿入しなくてはならず、またディスクがディスクカートリッジ等に収納されていないものではディスクの記録面に損傷を与えず、しかも指紋等が付かないように挿入しなければならず、挿入作業にはさらなる慎重さが必要となる。
【０００６】
そこで、本発明の目的は、横置きおよび縦置きが可能であり、しかもディスクの挿入作業が容易なディスク装填装置を提供することにある。
【０００７】
【課題を解決するための手段】
前記目的を達成するため、本発明は、装置本体の一側に形成された開口を通って装置本体の内外間を往復動するトレイにより、装置本体の外部で収納したディスクを装置本体内部の所定のローディング位置まで移動させて、ディスクに対するローディングを行わせるディスク装填装置において、前記トレイに、該トレイの平面に形成され該平面側からディスクが装填されて該ディスクの平面を受ける受け凹部と、該トレイのローディング方向に対して垂直方向の一側面から前記受け凹部に通じるようにディスクの外径に略等しい幅で設けられたディスク挿入用の挿入溝と、該挿入溝が設けられた該トレイの前記一側面から前記受け凹部の略中央部に通じるように形成された切欠き部とを備え、前記トレイを垂直に立てて使用する場合に前記受け凹部からディスクが外れることを防止するために該受け凹部に突出した状態となるストッパ部材を、該トレイに着脱可能あるいはスライド可能に設けたことによって、装置の横置き時には、トレイ上面から受け凹部にディスクを直接装填することができ、また装置の縦置き時には、トレイの上側面の挿入溝を通してトレイの受け凹部にディスクを装填することができ、しかも、受け凹部からディスクが外れてしまうことをストッパ部材によって防止することができる。さらに、ディスクを持つ使用者の指等が、トレイの側面に当接せずに、切欠き部を通ってトレイの一側から受け凹部の略中央部まで移動できるので、ディスクの受け凹部への装填が確実に行われる。
【０００９】
また、装置本体の一側に形成された開口を通って装置本体の内外間を往復動するトレイにより、装置本体の外部で収納したディスクを装置本体内部の所定のローディング位置まで移動させて、ディスクに対するローディングを行わせるディスク装填装置において、前記トレイに、該トレイの平面に形成され該平面側からディスクが装填されて該ディスクの平面を受ける受け凹部と、該トレイのローディング方向に対して垂直方向の一側面から前記受け凹部に通じるようにディスクの外径に略等しい幅で設けられたディスク挿入用の挿入溝と、該挿入溝が設けられた該トレイの前記一側面から前記受け凹部の略中央部に通じるように形成された切欠き部とを備え、前記トレイを垂直に立てて使用する場合に前記受け凹部からディスクが外れることを防止するために前記受け凹部部分を覆い、かつ前記切欠き部に対応させて縦長孔を有する板状部材を、前記トレイに着脱可能に設けたことによって、装置の横置き時には、トレイの受け凹部にディスクを直接装填することができ、また装置の縦置き時には、トレイの上側面の挿入溝を通してトレイの受け凹部にディスクを装填した後に、受け凹部を覆う板状部材を設けることによって、受け凹部からディスクが外れてしまうことを防止することができる。さらに、ディスクを持つ使用者の指等が、トレイの側面に当接せずに、切欠き部と縦長孔とを通ってトレイの一側から受け凹部の略中央部まで移動できるので、ディスクの受け凹部への装填が確実に行われる。
【００１２】
また、前記挿入溝の奥部分に、ディスクの外縁端部を保持する幅狭部を設けることによって、ディスクの中央部はトレイによって保持させないようにすることができるので、トレイとの接触によってディスクの記録面に損傷を与えてしまうおそれをなくせる。
【００１３】
【発明の実施の形態】
以下、本発明の好適な実施の形態を図面に基づいて説明する。
【００１４】
図１は本発明の第１実施形態を説明するためのディスク駆動装置の斜視図であり、１は右側部に開放口１ａを有する矩形箱状の装置本体、２は装置本体１の開放口１ａに対して出入り可能であるように図示しないトレイ移動手段によってスライド駆動されるトレイ、３はコンパクトディスク（ＣＤ）あるいはＣＤ−ＲＯＭ等の記録および／または再生可能なディスク状記録媒体としての記録／再生用ディスク（以下、ディスクという）である。
【００１５】
トレイ２には、内側面２ａの略中央部にスライド方向に長手方向が延在するように長方形状の透孔５が形成され、かつ装填されるディスク３の外形と略同一形状の受け凹部４０が透孔５を囲むように形成され、しかも受け凹部４０の底部には、透孔５に連続して外部と連通するように連通孔４１が切欠き形成されている。
【００１６】
また装置本体１内には、図示しないが、トレイ２が装置本体１に収納された状態において、トレイ２の透孔５部分に位置することになる光学式ピックアップ，ディスク３を回転駆動させるディスクテーブル，ディスク３をディスクテーブルへ圧接させるためのディスククランパ等のディスク駆動手段が収納されている。
【００１７】
さらにトレイ２の上側面２ｂには、ディスク３の直径と略同一開口幅で、かつ受け凹部４０まで通じる挿入溝４２が形成されている。さらに受け凹部４０の周部には、受け凹部４０内のディスク３が落下しないように止めるための板状のストッパ部材３３が、トレイ２の表面を矢印方向へスライド可能に複数個（図では４個）設置されている。
【００１８】
挿入溝４２は、外方に向かって徐々に狭くなって、ディスク３の外縁端部のみを保持するように外側端部４２ａがディスク３の厚みと略同一の幅になるように幅狭に形成されている。このようにすることによって、ディスク３の表面、特にディスク記録面がトレイ２に不用意に当接して損傷等が発生してしまうことを防ぐことができる。
【００１９】
次に、第１実施形態におけるディスク駆動装置の動作等を説明する。
【００２０】
図１，図２の状態はディスク駆動装置を縦置き使用する状態を示している。この縦置き使用の場合には、トレイ２のストッパ部材３３は受け凹部４０に突出した状態にスライド移動して、ディスクが落下しないようにしておき、ディスク３をトレイ２の上側面２ｂの挿入溝４２から受け凹部４０まで挿入する。この挿入に際して、ディスク３を持った使用者の指は、連通孔４１を通って透孔５までトレイ２の側壁が邪魔にならずに移動することができ、挿入作業は極めて容易に行うことができる。
【００２１】
そして、図２に示すディスク３が装着された状態で、スタートボタン等をオンすると、トレイ移動手段（図示せず）が始動してトレイ２を装置本体１内へ移動させ、トレイ２の引き込みが行われる。トレイ２が装置本体１に完全に収納されると、ディスク３は、ローディング状態になって記録／再生あるいは記録消去の動作が可能になる。
【００２２】
前記の状態からディスク３を取り出すには、エジェクトボタン等をオンすると、トレイ移動手段がトレイ２を装置本体１外へ移動させる。そして、トレイ２が装置本体１外部まで移動すれば、ディスク３をトレイ２の挿入溝４２を通して受け凹部４０から取り出すことができる。
【００２３】
また、ディスク駆動装置の横置き使用時には、トレイ２のストッパ部材３３を、受け凹部４０からトレイ２表面上の待避位置にスライド移動しておく。この状態で装置載置面に対して水平状態にあるトレイ２の受け凹部４０にディスク３を直接装着すればよい。装填後は前記と同様にしてトレイ２の引き込み、あるいはエジェクトが行われる。
【００２４】
なお、ストッパ部材３３は、トレイ２の受け凹部４０部分にスライド可能に設置されているが、トレイ２の受け凹部４０部分に必要時に取り付けられるように着脱自在の構成にすることも考えられる。
【００２５】
図３は本発明の参考例を説明するためのディスク駆動装置の斜視図であり、基本的構成は前記第１実施形態における構成と同様であって、異なる点は、ストッパ部材３３を使用せずに、受け凹部４０全体を覆う板状部材５０をトレイ２に着脱可能に設けることによって、受け凹部４０内のディスク３の落下を止めるようにしたものである。板状部材５０の４隅には、トレイ２に４箇所形成された受孔５１に着脱可能に嵌着される弾性突起部５２が突設されている。
【００２６】
次に、本参考例におけるディスク駆動装置の動作等を説明する。
【００２７】
図３の状態はディスク駆動装置を縦置き使用する状態を示している。この縦置き使用の場合には、トレイ２が装置本体１の外部に出ている状態でディスク３をトレイ２の受け凹部４０に装着し、この装着後に板状部材５０の弾性突起部５２をトレイ２の受孔５１に嵌着することによって、板状部材５０をトレイ２に固定する。
【００２８】
そして、ディスク３が装着された状態で、スタートボタン等をオンすると、トレイ移動手段（図示せず）が始動してトレイ２を装置本体１内へ移動させ、トレイ２の引き込みが行われる。トレイ２が装置本体１に完全に収納されると、ディスク３は、ローディング状態になって記録／再生あるいは記録消去の動作が可能になる。
【００２９】
前記の状態からディスク３を取り出すには、エジェクトボタン等をオンすると、トレイ移動手段がトレイ２を装置本体１外へ移動させる。そして、トレイ２が装置本体１外部に突出する位置まで移動すれば、板状部材５０をトレイ２から取り外せる状態になるため、板状部材５０をトレイ２から取り外すことによって受け凹部４０からディスク３を取り出すことができる。
【００３０】
また、ディスク駆動装置の横置き使用時には、装置載置面に対して水平状態にあるトレイ２の受け凹部４０にディスク３を直接装着すればよく、板状部材５０を使用する必要はない。装填後は前記と同様にしてトレイ２の引き込み、あるいはエジェクトが行われる。
【００３１】
なお、板状部材５０は、トレイ２に対して着脱可能な構成であるが、受け凹部４０を閉鎖および開放することが可能なように、トレイ２に対してスライド可能な構成にすることも考えられる。
【００３２】
図４は本発明の第２実施形態を説明するためのディスク駆動装置の斜視図であり、基本的構成は前記参考例における構成と同様であって、異なる点は板状部材５０の構成である。図４に示すように、板状部材５０の側壁に、トレイ２の連通孔４１と同方向に外部に対して開口する正面視略Ｕ字状の縦長孔５５を形成し、例えば使用者が指を連通孔４１と縦長孔５５との両側から入れてディスク３を挾むようにし、板状部材５０をトレイ２から取り外すことなく、ディスク３のみを上方に引き上げて取り出すことができるようにしたものである。
【００３３】
【発明の効果】
以上説明したように、本発明のディスク装填装置によれば、装置の横置き時には、トレイの平面側から受け凹部にディスクを直接装填することができ、装置の縦置き時には、ディスクをトレイの上側面の挿入溝を通し、また使用者の指等が切欠き部を通ってトレイの側面に当接しないように、トレイの受け凹部に装填することができ、しかも受け凹部からディスクが外れてしまうことをストッパ部材によって防止することができるため、容易かつ確実なディスクの装填，保持を実現することができる。
【００３４】
また、装置の横置き時には、トレイの平面側から受け凹部にディスクを直接装填することができ、また装置の縦置き時には、ディスクをトレイの上側面の挿入溝を通し、また使用者の指等が切欠き部と縦長孔とを通ってトレイの側面に当接しないように、トレイの受け凹部に装填することができ、その後に、受け凹部を覆う部材を設けることによって、受け凹部からディスクが外れてしまうことを防止することができるため、容易かつ確実なディスクの装填，保持を実現することができる。
【図面の簡単な説明】
【図１】  本発明の第１実施形態を説明するためのディスク駆動装置の斜視図
【図２】  本発明の第１実施形態におけるディスク装着状態を示す斜視図
【図３】  本発明の参考例を説明するためのディスク駆動装置の斜視図
【図４】  本発明の第２実施形態を説明するためのディスク駆動装置の斜視図
【図１】
0003848924.tif 000002
【図２】
0003848924.tif 000003
【図３】
0003848924.tif 000004
【図４】
0003848924.tif 000005